(57)【要約】【課題】    下枠上面のフラット感を損なうことなく、気密材を容易に交換することができるサッシ窓を提供すること。【解決手段】レール部３０および上面部材３２，３３，３４の上端が略同一高さ位置に設けられているので、下枠１２の上面をフラットに形成することができ、バリアフリー対応のサッシ窓とすることができる。そして、横気密材３１と上面部材３２，３４との間の隙間は、障子の垂下片が挿入可能な必要最小限の幅寸法に設定することができるので、下枠１２上面のフラット感を損なわないようにすることができる。障子の縦框に設けた縦気密材を縦枠１３の引寄せ片１３４および連結気密材４５に当接させることで、縦横の気密ラインが連続してサッシ窓の気密性が確保できるとともに、窓枠から障子を外せば、縦框に対して縦気密部材を着脱でき、容易に交換することができる。【選択図】  図７
2005299372.tif 000002
【特許請求の範囲】
【請求項１】
上枠、下枠、および左右の縦枠を有する窓枠と、この窓枠内側に開閉自在に支持され、上框、下框、および左右の縦框を有する障子とを備えたサッシ窓であって、
前記下枠には、前記障子の戸車を案内するレール部と、このレール部の室内側および室外側の少なくとも一方に隙間を介し、かつ上面が当該レール部の上端と略同一高さ位置に設けられた上面部と、前記レール部および上面部の少なくとも一方に沿って前記隙間に臨んで設けられた横気密材とが設けられ、
前記障子の下框には、前記隙間に挿入されて前記横気密材に当接する垂下片が設けられ、当該障子の縦框には、当該障子閉鎖時に前記縦枠に当接する縦気密材が設けられ、
前記下枠および縦枠のいずれかには、前記横気密材の端部に当接するとともに、前記障子閉鎖時に前記縦気密材の下端部に当接することで、前記横気密材と前記縦気密材とを連結する連結気密材が設けられているサッシ窓。
【請求項２】
前記横気密材は、前記レール部の室外側に沿って設けられ、前記垂下片は、前記下框の室外側側面から垂下して形成されるとともに、前記横気密材と前記上面部との間に挿入され、この垂下片の室内側側面に前記横気密材が当接しており、
前記縦枠には、前記障子を室内側に引き寄せる引寄せ片が見付け方向に突出して形成され、この引寄せ片の下端位置に前記連結気密材が設けられており、前記縦気密材は、前記縦框の室外側側面の室内側に設けられるとともに、前記障子閉鎖時に前記引寄せ片の室外側側面および前記連結気密材に当接する請求項１に記載のサッシ窓。
【請求項３】
前記横気密材の上端は、前記レール部および上面部の上端と略同一高さ位置に設けられ、この横気密部材の端部上面に前記連結気密材が当接している請求項１または請求項２に記載のサッシ窓。
【請求項４】
前記下枠は、下枠本体を備え、この下枠本体には、前記横気密材を係止する上方に開口した凹溝状の気密材保持部が形成されており、前記横気密材は、前記下枠の上面側から着脱自在に前記気密材保持部に取り付けられている請求項１から請求項３のいずれかに記載のサッシ窓。
【請求項５】
前記連結気密材は、モヘアを有して構成され、前記モヘアが前記縦枠の見付け方向または見込み方向に突出して設けられている請求項１から請求項４のいずれかに記載のサッシ窓。
【請求項６】
前記障子は、前記窓枠内側に引違い形式に支持された室内側および室外側の障子であり、前記レール部は、前記室内外の各障子を案内する室内側および室外側のレール部であって、
前記室内外の各レール部間には、レール間上面部材が着脱自在に設けられ、前記室内側レール部よりも室内側には、室内側上面部材が着脱自在に設けられ、前記室外側レール部よりも室外側には、室外側上面部材が着脱自在に設けられており、これらのレール間上面部材、室内側上面部材、および室外側上面部材のうちの少なくとも１つで前記上面部が構成されている請求項１から請求項５のいずれかに記載のサッシ窓。
【請求項７】
前記障子は、前記窓枠内側に固定された固定面材と、この固定面材の室外側または室内側に支持された可動障子とで構成された片引き形式の障子であり、前記レール部は、前記可動障子を案内するものであって、
前記レール部の室内側または室外側には、レール側方上面部材が着脱自在に設けられ、このレール側方上面部材を前記レール部の室内側に設けた場合には、前記レール部の室外側に室外側上面部材が着脱自在に設けられ、前記レール側方上面部材を前記レール部の室外側に設けた場合には、前記レール部の室内側に室内側上面部材が着脱自在に設けられており、これらのレール側方上面部材、室内側上面部材、および室外側上面部材のうちの少なくとも１つで前記上面部が構成されている請求項１から請求項５のいずれかに記載のサッシ窓。
【発明の詳細な説明】
【技術分野】
【０００１】
本発明は、引違い窓や片引き窓等のサッシ窓に関し、詳しくは、下枠の上面が略フラットに形成され、室内外の床材上面との段差を小さくしたバリアフリータイプの掃出し窓に用いられるサッシ窓に関する。
【背景技術】
【０００２】
住宅等のテラスやバルコニー等に面した外壁位置には、居住者が室内からテラス等に出入りするための掃出し窓が設けられている。このような掃出し窓として、居住者の高齢化や、車いす利用者の利便性等に配慮したバリアフリータイプの掃出し窓が提案されている（例えば、特許文献１参照）。
特許文献１に記載された掃出し窓の下枠は、下枠上面を略水平（フラット）にする障子スライド用上面部材を備えて構成され、この障子スライド用上面部材が障子の戸車を案内するガイドレールとして機能するようになっている。従って、下枠上面がほぼフラットで段差が小さくなっているため、居住者や車いすは下枠上をスムーズに通過することができる。
【０００３】
そして、特許文献１の掃出し窓では、障子の下框に形成されて下枠の隙間（スライド溝）に挿入される垂下片に横気密材（タイト材）が設けられ、この横気密材が下枠に当接し、障子の縦框に設けられた縦気密材が縦枠の引寄せ片に当接するようになっている（同公報の図１〜４）。これら障子に設けられた縦横の気密材同士は、障子の四周に連続するように設けられている。
また、特許文献１には、下枠のスライド溝の両側面に設けた横気密材が障子の垂下片に当接し、縦枠の突出片に設けた縦気密材が障子の縦框に当接するの形態の掃出し窓も示されている（同公報の図２７〜２９）。
このように障子または窓枠に設けられた縦横の気密材が窓枠または障子の各部に当接することで、掃出し窓における気密性が確保できるようになっている。
【０００４】
【特許文献１】特開２００３−１７６６７１号公報
【発明の開示】
【発明が解決しようとする課題】
【０００５】
しかしながら、前記特許文献１に記載の掃出し窓では、縦横の気密材が障子および窓枠のいずれか一方に設けられているため、以下のような問題がある。
すなわち、縦横の気密材を障子側に設けた場合、つまり横気密材を下框の垂下片に設けた場合には、垂下片を挿入する隙間として、横気密材を含んだ垂下片が挿入できるだけの幅寸法を確保する必要があり、結果的に隙間の幅寸法が大きくなってしまい、下枠上面のフラット感が損なわれてしまうという問題がある。
また、縦横の気密材を窓枠側に設けた場合、つまり縦気密材を縦枠の突出片に設けた場合には、この縦気密材を上下方向にスライドさせることができないために、縦気密材の交換が困難になってしまうという問題がある。
【０００６】
本発明の目的は、下枠上面のフラット感を損なうことなく、気密材を容易に交換することができるサッシ窓を提供することにある。
【課題を解決するための手段】
【０００７】
本発明のサッシ窓は、上枠、下枠、および左右の縦枠を有する窓枠と、この窓枠内側に開閉自在に支持され、上框、下框、および左右の縦框を有する障子とを備えたサッシ窓であって、前記下枠には、前記障子の戸車を案内するレール部と、このレール部の室内側および室外側の少なくとも一方に隙間を介し、かつ上面が当該レール部の上端と略同一高さ位置に設けられた上面部と、前記レール部および上面部の少なくとも一方に沿って前記隙間に臨んで設けられた横気密材とが設けられ、前記障子の下框には、前記隙間に挿入されて前記横気密材に当接する垂下片が設けられ、当該障子の縦框には、当該障子閉鎖時に前記縦枠に当接する縦気密材が設けられ、前記下枠および縦枠のいずれかには、前記横気密材の端部に当接するとともに、前記障子閉鎖時に前記縦気密材の下端部に当接することで、前記横気密材と前記縦気密材とを連結する連結気密材が設けられていることを特徴とする。
【０００８】
ここで、レール部の上端と上面部の上面とが略同一高さ位置に設けられるとは、同一の高さ位置に設けられる場合に限らず、居住者や車いす等の移動に際し、障害とならない程度の異なる高さ位置に設けられる場合も含む意味である。
【０００９】
このような構成によれば、レール部および上面部の上端が略同一高さ位置に設けられているので、下枠の上面をフラットに形成することができ、バリアフリー対応のサッシ窓とすることができる。そして、レール部と上面部との間に設けられる隙間は、障子の下框に設けた垂下片が挿入可能な幅寸法を有していればよく、垂下片の厚さ寸法に応じた必要最小限の幅寸法に設定することができ、必要以上の幅寸法の隙間や凹凸を設ける必要がないことから、下枠上面のフラット感を損なわないようにすることができる。
また、下枠の隙間に挿入した障子の垂下片に横気密材を当接させることで、下枠における横方向の気密ラインを形成し、また縦框に設けた縦気密材を縦枠に当接させることで、縦枠における縦方向の気密ラインを形成し、縦横の気密材を連結気密材で連結させることで、縦横の気密ラインが連続してサッシ窓の気密性を確保することができる。
さらに、縦気密材を障子の縦框に設けたことで、窓枠から障子を外せば、縦気密材を着脱でき、縦気密材を容易に交換することができる。
【００１０】
この際、本発明のサッシ窓では、前記横気密材は、前記レール部の室外側に沿って設けられ、前記垂下片は、前記下框の室外側側面から垂下して形成されるとともに、前記横気密材と前記上面部との間に挿入され、この垂下片の室内側側面に前記横気密材が当接しており、前記縦枠には、前記障子を室内側に引き寄せる引寄せ片が見付け方向に突出して形成され、この引寄せ片の下端位置に前記連結気密材が設けられており、前記縦気密材は、前記縦框の室外側側面の室内側に設けられるとともに、前記障子閉鎖時に前記引寄せ片の室外側側面および前記連結気密材に当接することが好ましい。
このような構成によれば、レール部の室外側に沿って横気密材を設け、この横気密材に垂下片の室内側側面を当接させ、また縦框の室外側側面の室内側に縦気密材を設け、この縦気密材を引寄せ片の室外側側面および連結気密材に当接させることで、外タイトの気密ラインが形成され、障子に室外側から風雨が吹き付けた場合に、縦横の気密材が各々引寄せ片および垂下片に密接するようにでき、サッシ窓の気密、水密性能が確保できる。
【００１１】
また、本発明のサッシ窓では、前記横気密材の上端は、前記レール部および上面部の上端と略同一高さ位置に設けられ、この横気密部材の端部上面に前記連結気密材が当接していることが好ましい。
このような構成によれば、横気密材の上端をレール部および上面部の上端と略同一高さ位置に設けたことで、下枠の上面をよりフラットに形成することができる。
【００１２】
さらに、本発明のサッシ窓では、前記下枠は、下枠本体を備え、この下枠本体には、前記横気密材を係止する上方に開口した凹溝状の気密材保持部が形成されており、前記横気密材は、前記下枠の上面側から着脱自在に前記気密材保持部に取り付けられていることが好ましい。
このような構成によれば、横気密材を気密材保持部から上方に引き抜いて取り外すとともに、上方から気密材保持部に圧入して取り付けることができるので、横気密材を容易に着脱することができ、横気密材を途中位置で分割する必要もないため、気密性を確保しつつ容易に交換することができる。
【００１３】
また、本発明のサッシ窓では、前記連結気密材は、モヘアを有して構成され、前記モヘアが前記縦枠の見付け方向または見込み方向に突出して設けられていることが好ましい。  このような構成によれば、モヘアを縦枠の見付け方向、つまり障子側に向かって突出させて設ければ、障子閉鎖時にモヘアが縦框に押圧されてつぶれることで、縦気密材にモヘアを密接させることができ、またモヘアを縦枠の見込み方向、つまり障子の可動方向に交差して突出させて設ければ、障子閉鎖時にモヘアが縦框に押されて縦枠側に変形することで、縦気密材にモヘアを密接させることができる。このようにモヘアを縦気密材に密接させることで、縦方向の気密ラインが確実に形成され、サッシ窓の気密性を確保することができる。すなわち、突出方向およびその交差方向のいずれの方向にも変形しやすい部材であるモヘアを連結気密材に用いることで、障子閉鎖時に連結気密材と縦気密材とが確実に密接して、縦横の気密ラインを連続させることができる。
【００１４】
また、本発明のサッシ窓では、前記障子は、前記窓枠内側に引違い形式に支持された室内側および室外側の障子であり、前記レール部は、前記室内外の各障子を案内する室内側および室外側のレール部であって、前記室内外の各レール部間には、レール間上面部材が着脱自在に設けられ、前記室内側レール部よりも室内側には、室内側上面部材が着脱自在に設けられ、前記室外側レール部よりも室外側には、室外側上面部材が着脱自在に設けられており、これらのレール間上面部材、室内側上面部材、および室外側上面部材のうちの少なくとも１つで前記上面部が構成されていることが好ましい。
このような構成によれば、前述の作用効果を有した引違い窓を構成することができるとともに、レール間上面部材や室内側および室外側の上面部材が着脱可能に構成されているので、これらの上面部材を取り外すことで、レール部を取り外すことなくレール部間の空間やレール部の室内側または室外側の空間の清掃ができる。すなわち、従来の掃出し窓では、障子スライド用上面部材がガイドレールとしても機能するため、この障子スライド用上面部材を清掃時に取り外してしまうと、障子が脱落する可能性があるが、本発明では、清掃時に障子が脱落するおそれもなく、清掃作業を安心して実行することができる。
また、下枠内部の清掃時には、レール間上面部材や室内側または室外側の上面部材を取り外せばよく、レール部を取り外す必要がないため、レール部を下枠長手方向の途中位置で分割する必要がなくなり、戸車のガタつきを防止して障子を円滑に案内することができる。なお、レール部を着脱可能に構成してもよく、その場合には、レール部を取り外すことで下枠上面をより大きく開放させることができ、下枠内部の清掃が一層容易にできる。
【００１５】
また、本発明のサッシ窓では、前記障子は、前記窓枠内側に固定された固定面材と、この固定面材の室外側または室内側に支持された可動障子とで構成された片引き形式の障子であり、前記レール部は、前記可動障子を案内するものであって、前記レール部の室内側または室外側には、レール側方上面部材が着脱自在に設けられ、このレール側方上面部材を前記レール部の室内側に設けた場合には、前記レール部の室外側に室外側上面部材が着脱自在に設けられ、前記レール側方上面部材を前記レール部の室外側に設けた場合には、前記レール部の室内側に室内側上面部材が着脱自在に設けられており、これらのレール側方上面部材、室内側上面部材、および室外側上面部材のうちの少なくとも１つで前記上面部が構成されていてもよい。
このような構成によれば、前述の引違い窓と同様の作用効果を有した片引き窓を構成することができる。すなわち、清掃時に障子が脱落するおそれもなく、清掃作業を安心して実行することができるとともに、戸車のガタつきを防止して障子を円滑に案内することができる。
【発明を実施するための最良の形態】
【００１６】
以下、本発明の各実施形態を図面に基づいて説明する。
〔第１実施形態〕
図１は、本発明の第１実施形態に係るサッシ窓である引違い窓１０が設けられた建物の一部を示す断面図である。図２、図３は、引違い窓１０を示す縦断面図、および横断面図である。
【００１７】
図１〜３において、建物の外壁部分に設けられた引違い窓１０は、建物の室内空間と室外空間とを仕切るものである。建物は、例えば戸建て住宅であって、引違い窓１０の室外にはテラス１が設けられており、このテラス１には、再生木等からなるデッキ材２が適宜な支持材上に設置されている。そして、このデッキ材２の上面は、室内床面３と略同一の高さ位置となっている。引違い窓１０では、後述する下枠１２の上面がデッキ材２および室内床面３と略同一の高さ位置でフラットに形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプ（ユニバーサルデザイン）の掃出し窓である。
【００１８】
引違い窓１０は、上枠１１、下枠１２、および左右の縦枠１３を四周枠組みした窓枠１４と、この窓枠１４の内側に開閉自在に支持された室内外一組の障子１５とを備えて構成されている。窓枠１４は、建物の外壁や柱等の躯体に固定されている。障子１５は、上框１６、下框１７、および左右の縦框１８を四周框組みした内部に、ガラスパネル１９を嵌め込んで構成されている。また、一組の障子１５の室外側には、網戸２０が窓枠１４内に開閉自在に支持されている。網戸２０は、四周枠組みされた網戸枠２１と、この網戸枠２１に固定されたネット２２とを有して構成されている。一組の障子１５は、室内側の障子１５Ａと、室外側の障子１５Ｂとが、窓枠１４の見付け方向（図３中、左右方向）略中央位置の召合せ部分２３で重なって閉じるようになっている。そして、室内外の障子１５Ａ，１５Ｂは、召合せ部分２３の縦框（召合せ框）１８Ａ，１８Ｂに設けられた引戸錠であるクレセント２４により施錠できるようになっている。さらに、室内外の障子１５Ａ，１５Ｂにおける戸先側の縦框（戸先框）１８Ｃ，１８Ｄには、各障子１５Ａ，１５Ｂを開閉操作するためのハンドル２５が取り付けられている。
【００１９】
窓枠１４の上枠１１、下枠１２、および縦枠１３は、それぞれの室内側に配置される室内部材１１１，１２１，１３１と、室外側に配置される室外部材１１２，１２２，１３２と、これらアルミ押出形材製の室内部材１１１，１２１，１３１および室外部材１１２，１２２，１３２を連結する断熱部材１１３，１２３，１３３とを備えて構成されている。また、障子１５の上框１６、下框１７、および縦框１８Ａ，１８Ｃ，１８Ｄは、それぞれの室内側に配置される室内部材１６１，１７１，１８１と、室外側に配置される室外部材１６２，１７２，１８２と、これらアルミ押出形材製の室内部材１６１，１７１，１８１および室外部材１６２，１７２，１８２を連結する断熱部材１６３，１７３，１８３とを備えて構成されている。すなわち、引違い窓１０は、窓枠１４および障子１５における室内外間の熱の伝達が抑制された断熱サッシから構成されており、冷暖房効率に優れるとともに、冬期における結露の発生が防止できるようになっている。
【００２０】
次に、引違い窓１０における下枠１２の構造について、図４〜６に基づいて詳しく説明する。図４〜６は、それぞれ下枠１２を示す縦断面図、分解斜視図、および平面図である。
図４〜６において、下枠１２は、建物に固定される下枠本体１２４と、障子１５の戸車１７４を案内する室内側および室外側のレール部３０（３０Ａ，３０Ｂ）と、障子１５に当接する室内側および室外側の横気密材３１（３１Ａ，３１Ｂ）と、室内外の各レール部３０Ａ，３０Ｂ間に着脱自在に設けられたレール間上面部材３２と、室内側レール部３０Ａよりも室内側に着脱自在に設けられた室内側上面部材３３と、室外側レール部３０Ｂよりも室外側に着脱自在に設けられた室外側上面部材としての網戸レール３４とを備えて構成されている。また、下枠１２の室内側には、当該下枠１２を室内の床材に固定するための固定部材であるアングル材３５が下枠本体１２４の室内部材１２１に対して着脱自在に設けられている。
【００２１】
レール部３０はアルミ押出形材製であり、横気密材３１はＰＶＣ製であって、それぞれ下枠本体１２４に着脱可能に取り付けられている。なお、横気密材３１の材質は、特に限定されない。
そして、レール部３０の上面には、上方に突出した戸車案内部３０１が形成されており、この戸車案内部３０１の上端は、横気密材３１の上面よりも上方に設けられている。また、網戸レール３４の上面には、網戸２０の戸車を案内する網戸案内部としてのガイド溝３４１が形成されている。
また、レール間上面部材３２、室内側上面部材３３、および網戸レール３４の上面は、略水平に形成されるとともに、室内外のレール部３０Ａ，３０Ｂ、横気密材３１Ａ，３１Ｂ、およびアングル材３５と略同一高さ位置に設けられている。つまり、下枠本体１２４には、室内側から室外側に向かって、アングル材３５、室内側上面部材３３、室内側レール部３０Ａ、室内側横気密材３１Ａ、レール間上面部材３２、室外側レール部３０Ｂ、室外側横気密材３１Ｂ、および網戸レール３４の順に取り付けられており、これらの上面が略フラットに形成されている。
【００２２】
室内側横気密材３１Ａとレール間上面部材３２との間、および室外側横気密材３１Ｂと網戸レール３４との間には、それぞれ隙間が形成されており、これらの隙間に室内外の障子１５Ａ，１５Ｂにおける下框１７の室外側側面下部に形成された垂下片１７５が挿入されている。そして、これらの垂下片１７５の室内側側面に室内外の横気密材３１Ａ，３１Ｂの先端が当接して水平方向（横）の気密ラインが形成されるようになっている。このように室内外の各横気密材３１Ａ，３１Ｂの室外側に設けられる隙間の幅寸法は、障子１５の下框１７の垂下片１７５を挿通できる必要最低限の寸法になっていればよい。
また、室内側上面部材３３、室内側レール部３０Ａ、および室内側横気密材３１Ａは、互いに隙間なく接触して取り付けられ、レール間上面部材３２、室外側レール部３０Ｂ、および室外側横気密材３１Ｂは、互いに隙間なく接触して取り付けられている。
【００２３】
下枠本体１２４は、前述の室内部材１２１、室外部材１２２、および断熱部材１２３から構成されている。室内部材１２１の上部室内端には、上方に突出した室内側側壁部１２１Ａが形成され、この室内側側壁部１２１Ａに対向して室外側には、室内側レール部３０Ａを支持する室内側レール支持部１２１Ｂと、この室内側レール支持部１２１Ｂの室外側に隣接して室内側横気密材３１Ａを保持する室内側気密材保持部１２１Ｃとが形成されている。そして、室内側側壁部１２１Ａと室内側レール支持部１２１Ｂとの間で上方に開口した室内側凹溝部１２１Ｄに室内側上面部材３３が取り付けられている。また、室内側側壁部１２１Ａの上端には、アングル材３５が係合可能になっている。
【００２４】
下枠本体１２４における室外部材１２２の上部室外端には、上方に突出した室外側側壁部１２２Ａが形成され、この室外側側壁部１２２Ａに対向して室内側には、室外側レール部３０Ｂを支持する室外側レール支持部１２２Ｂと、この室外側レール支持部１２２Ｂの室外側に隣接して室外側横気密材３１Ｂを保持する室外側気密材保持部１２２Ｃとが形成されている。そして、室外側側壁部１２２Ａと室外側気密材保持部１２２Ｃとの間で上方に開口した室外側凹溝部１２２Ｄに網戸レール３４が取り付けられている。また、室外側レール支持部１２２Ｂの室内側には、支持部材３６が係止されており、この支持部材３６上にレール間上面部材３２がビス止め固定されている。
【００２５】
以上のように下枠本体１２４に設けられた室内外のレール支持部１２１Ｂ，１２２Ｂは、上方に開口した凹溝状に形成されており、その開口部分に設けられた突起と、室内外のレール部３０Ａ，３０Ｂ下端に設けた係止片とが係合可能になっている。このように係合させることで、レール部３０Ａ，３０Ｂが下枠本体１２４に支持され、容易に外れないようになっている。そして、レール部３０Ａ，３０Ｂは、その室内側側面に形成された溝部にドライバ等の工具を差し込み、上方に持ち上げることで、レール支持部１２１Ｂ，１２２Ｂから取り外すことができるようになっている。また、室内外の気密材保持部１２１Ｃ，１２２Ｃは、上方に開口した断面略半円形の凹溝状に形成されている。そして、横気密材３１Ａ，３１Ｂは、その下部に設けた略円柱状の係止部を気密材保持部１２１Ｃ，１２２Ｃに圧入することで、下枠本体１２４に保持され、上方に引っ張り上げることで、気密材保持部１２１Ｃ，１２２Ｃから取り外すことができるようになっている。
【００２６】
次に、図５に示すように、室内外のレール部３０Ａ，３０Ｂおよび横気密材３１Ａ，３１Ｂは、それぞれ下枠１２の長手方向略全長に渡る長さ寸法を有し、途中で分割されず一体に形成されている。
また、網戸レール３４は、断面略コ字形のアルミ押出形材製であって、下枠１２の長手方向略全長に渡る長さ寸法を有して一体に形成され、その両端部が下枠本体１２４の室外部材１２２にビス止め固定されている。なお、網戸レール３４は、下枠本体１２４に固定された別部品に対してビス止め固定することで下枠本体１２４に固定してもよい。
【００２７】
レール間上面部材３２は、下枠１２の長手方向途中位置で四分割されており、図５中、下方左側から第１〜第４のレール間上面部材３２Ａ，３２Ｂ，３２Ｃ，３２Ｄの４つの部材から構成されている。
そして、障子１５を閉じた際にその上面が室内側空間に表出する（位置する）レール間上面部材３２Ａ，３２Ｂは、角形中空形状の樹脂押出形材製のレール間上面部材本体部３２１と、このレール間上面部材本体部３２１の両端に取り付けられた取手部３２２とを有して形成されている。
一方、障子１５を閉じた際にその上面が室外側空間に表出する（位置する）レール間上面部材３２Ｃ，３２Ｄは、角形中空形状のアルミ押出形材製のレール間上面部材本体部３２１と、このレール間上面部材本体部３２１の両端に取り付けられた取手部３２２とを有して形成されている。
取手部３２２は、樹脂製であって、レール間上面部材３２を着脱する際に手で掴むための凹み部３２２Ａを有している。
なお、樹脂押出形材製のレール間上面部材３２Ａ，３２Ｂは、アルミ製の支持部材３６とビス等で連結することで温度変化や経年変化等によって生じる樹脂特有の伸びや縮を抑えることができるとともに、レール間上面部材３２Ａ，３２Ｂの上方からかかる荷重を支持部材３６で支えるように構成されている。
また、アルミ押出形材製のレール間上面部材３２Ｃ，３２Ｄは、レール間上面部材３２Ａ，３２Ｂと同様に、支持部材３６を介して下枠本体１２４に取り付けてもよいし、レール間上面部材３２Ｃ，３２Ｄと支持部材３６とを一体的に形成してもよい。
【００２８】
第１のレール間上面部材３２Ａは、一端側（図６中、左側）の取手部３２２を下枠本体１２４に設けたコーナー部材３７に当接し、他端側の取手部３２２を第２のレール間上面部材３２Ｂの取手部３２２に当接して取り付けられている。第２のレール間上面部材３２Ｂは、第１のレール間上面部材３２Ａと反対側の取手部３２２を下枠本体１２４に設けた風止板４０に当接して取り付けられている。第３のレール間上面部材３２Ｃは、一端側の取手部３２２を風止板４０に当接し、他端側の取手部３２２を第４のレール間上面部材３２Ｄの取手部３２２に当接して取り付けられている。第４のレール間上面部材３２Ｄは、第３のレール間上面部材３２Ｃと反対側の取手部３２２を縦枠１３側面に当接して取り付けられている。そして、レール間上面部材３２は、室内外の障子１５Ａ，１５Ｂを窓枠１４のいずれか一方側に寄せた状態で、他方側の第１のレール間上面部材３２Ａ（または第４のレール間上面部材３２Ｄ）を取り外し、次いで第２のレール間上面部材３２Ｂ（または第３のレール間上面部材３２Ｃ）を他方側にスライドさせて取り外すことができるようになっている。
【００２９】
室内側上面部材３３は、下枠１２の長手方向途中位置で二分割されており、図５中、下方左側から第１および第２の室内側上面部材３３Ａ，３３Ｂの２つの部材から構成されている。各室内側上面部材３３Ａ，３３Ｂは、断面略Ｌ字形のアルミ押出形材製の室内側上面部材本体部３３１と、この室内側上面部材本体部３３１の縦枠１３側端部に取り付けられた取手部３３２とを有して形成されている。そして、第１および第２の室内側上面部材３３Ａ，３３Ｂは、互いの下枠中央側端部を当接するとともに、第１の室内側上面部材３３Ａの取手部３３２をコーナー部材３７に当接し、第２の室内側上面部材３３Ｂの取手部３２２をコーナー部材３８に当接して取り付けられている。そして、取手部３３２は、その一部の押し下げ操作により他の一部が上方に突出するようになっており、この突出した部分を引き上げることで、室内側上面部材３３を取り外すことができるようになっている。
【００３０】
また、図４に示すように、下枠本体１２４における室内外のレール部３０Ａ，３０Ｂ間でレール間上面部材３２の下方には、下枠内部空間１２５が形成されている。この下枠内部空間１２５は、室外部材１２２の一部である傾斜面部１２６と外側面部１２７とによって、底面および室外側側面が形成されている。傾斜面部１２６は、室外側に向かって下がる傾斜を有して形成され、外側面部１２７には、室外空間に開口した排水孔１２７Ａが設けられており、下枠内部空間１２５に浸入した水などは、傾斜面部１２６を流れて外側面部１２７の排水孔１２７Ａから排出されるようになっている。また、下枠内部空間１２５の室内側空間（図６中、風止板４０よりも左側の空間）に設けられた排水孔１２７Ａの室外側には、排水弁３９が取り付けられており、この下枠内部空間の室内側空間が排水孔１２７Ａを通して室外空間と連通するのを防ぐようになっている。さらに、排水弁３９は、排水孔１２７Ａを通って排出された水を逆流させずに室外空間に排出することができる。また、室外側から雨水が排水孔１２７Ａを通って下枠内部空間１２５側に吹き込むことを、排水弁３９によって防ぐことができる。
【００３１】
次に、下枠１２および障子１５における気密構造について、図７〜１２に基づいて詳しく説明する。
図７は、下枠１２および縦枠１３の交差部分を室外側から見た斜視図である。図８は、下枠１２および縦枠１３の交差部分を示す断面図である。図９は、室外側の障子１５Ｂの戸先框１８Ｄを室内側から見た斜視図である。図１０は、室外側の障子１５Ｂの召合せ框１８Ｂを室内側下方から見た斜視図である。図１１、１２は、室外側の障子１５Ｂの召合せ框１８Ｂおよび下枠１２を示す断面図、および室内側から見た側面図である。
【００３２】
図７、８に示すように、縦枠１３の内側には、障子１５の戸先框１８Ｃ，１８Ｄに当接して戸先框１８Ｃ，１８Ｄを室内側に引き寄せる引寄せ片１３４が設けられている。この引寄せ片１３４は、縦枠１３の見付け方向内側に突出して形成され、図３にも示すように、戸先框１８Ｃ，１８Ｄ内部の傾斜部に当接するようになっている。そして、室外側の障子１５Ｂの戸先框１８Ｄが当接する縦枠１３において、引寄せ片１３４の室内側には、気密材保持部材１３５が取り付けられており、この気密材保持部材１３５の室外側側面に第２縦気密材としての縦気密材１３６が保持されている。この縦気密材１３６は、図３にも示すように、室外側の障子１５Ｂを閉じた際に、戸先框１８Ｄの室内側側面に当接するようになっている。また、室内側の障子１５Ａの戸先框１８Ｃが当接する縦枠１３において、引寄せ片１３４の室外側には、第２縦気密材としての縦気密材１３７が設けられており、この縦気密材１３７は、戸先框１８Ｃの室外側側面に当接するようになっている。
【００３３】
引寄せ片１３４の下端部は、下枠１２の上面よりも若干高い位置で切り欠かれており、この切り欠き部分には、連結気密材４５が取り付けられている。この連結気密材４５は、引寄せ片１３４を挟持して取付状態を維持するための取付支持部４６と、この取付支持部４６に固定されて室外側に向かって突出する弾性部としてのモヘア４７とを有している。取付支持部４６は、樹脂製の部材で、引寄せ片１３４の下端部を室内外から挟持できるようになっている。モヘア４７は、樹脂製の微細な繊維から形成されたもので、適度な弾性を有しており、その下端が下枠１２の横気密材３１上面に当接して設けられている。
【００３４】
図９に示すように、室外側の障子１５Ｂの戸先框１８Ｄには、縦気密材１８６が設けられている。この縦気密材１８６は、ＰＶＣ製であって、戸先框１８Ｄの室外側側面の室内側である室外部材１８２を縦枠１３側に延長して形成された気密材保持部１８７に保持されている。この気密材保持部１８７は、断面略Ｃ字形の溝状になっており、縦気密材１８６を上方または下方からスライドさせて挿入することで、縦気密材１８６が取り付けられ、逆に上方または下方にスライドさせて取り外すことができるようになっている。この縦気密材１８６は、室外側の障子１５Ｂを閉じた際に、縦枠１３の引寄せ片１３４の室外側側面に当接し、鉛直方向（縦）の気密ラインが形成されるようになっている。
なお、室内側の障子１５Ａにおいても同様に、戸先框１８Ｃに縦気密材１８６が設けられ、この縦気密材１８６が縦枠１３の引寄せ片１３４の室外側側面に当接して鉛直方向（縦）の気密ラインが形成されるようになっている。
【００３５】
また、戸先框１８Ｃ，１８Ｄの下端部には、当該戸先框１８Ｃ，１８Ｄの下端を塞ぐ端部キャップ１８８が設けられている。この端部キャップ１８８は、樹脂製であり、戸先框１８Ｃ，１８Ｄ内部に雨水等が浸入するのを防止する機能を有している。そして、端部キャップ１８８の室外側下端縁には、下方に延出した摺動片１８８Ａが形成されている。この摺動片１８８Ａは、前記下框１７の垂下片１７５に連続して設けられ、室内側横気密材３１Ａとレール間上面部材３２との間、または室外側横気密材３１Ｂと網戸レール３４との間の隙間に挿入されている。そして、摺動片１８８Ａの室内側側面には、横気密材３１が当接し、横気密ラインが障子１５の戸先側端部まで連続形成されている。
このように戸先框１８Ｃ，１８Ｄの下端部には、摺動片１８８Ａを有した端部キャップ１８８が設けられているため、戸先框１８Ｃ，１８Ｄのアルミ形材は、摺動片１８８Ａの上部までしかなく、縦気密材１８６の下端も摺動片１８８Ａよりも上側で切れている。従って、縦気密材１８６の下端は下枠１２の上面から離れて設けられている。
【００３６】
以上のような戸先框１８Ｃ，１８Ｄの縦気密材１８６は、障子１５閉鎖時において、連結気密材４５のモヘア４７に当接するようになっている。そして、縦気密材１８６が当接したモヘア４７は、その上端側が縦枠１３側に撓むとともに、その下端部と下枠１２の横気密材３１との当接が維持されるようになっている。これにより、下枠１２の横気密材３１と戸先框１８Ｃ，１８Ｄの縦気密材１８６とが連結気密材４５のモヘア４７により連結され、横気密ラインと縦気密ラインとが連続することになる。
なお、連結気密材４５のモヘア４７は、引寄せ片１３４から室外側に向かって突出して設けられるものに限らず、縦枠１３の見付け方向内側に向かって突出し、戸先框１８Ｃ，１８Ｄの縦気密材１８６に当接可能に設けられていてもよい。このようにすれば、障子１５閉鎖時において、縦気密材１８６に押圧されたモヘア４７がつぶれて縦気密材１８６に密接することができ、下枠１２の横気密材３１と戸先框１８Ｃ，１８Ｄの縦気密材１８６とを連結することができる。
以上のように、縦横の気密ラインが連続することで、戸先部における気密構造が構成されている。
【００３７】
次に、召合せ部２３における気密構造は、図１０〜１２に示すように、室内外の障子１５Ａ，１５Ｂの召合せ框１８Ａ，１８Ｂ間と、これらの召合せ框１８Ａ，１８Ｂと下枠１２との間において、以下のように構成されている。
すなわち、室内外の障子１５Ａ，１５Ｂの召合せ框１８Ａ，１８Ｂには、障子１５閉鎖時に互いに係合する煙返し１８４が設けられるとともに、室外側の召合せ框１８Ｂには、室内側に突出して室内側の召合せ框１８Ａに当接する縦気密材１８５が設けられている。これらの煙返し１８４および縦気密材１８５により召合せ框１８Ａ，１８Ｂ間の縦気密ラインが形成されている。
【００３８】
また、召合せ部２３下方の下枠１２には、下枠内部空間１２５を左右に仕切る風止板４０（図５、６）が設けられている。この風止板４０は、弾性材料であるゴム製の部材であって、上方に延出して設けられた５つの突出片部４１を有している。この突出片部４１は、弾性変形可能なヒレ状に形成されており、その上端は、下枠１２の上面、つまりレール間上面部材３２の上端よりも上方に突出して設けられている。また、突出片部４１の一部は、図１１に示すように、室内側横気密材３１Ａの下側に位置し、室内側の障子１５Ａの垂下片１７５（不図示）に摺接するようになっている。そして、突出片部４１と室内側横気密材３１Ａの室外側側面（ヒレ状部分）とで囲まれて形成された空間に、室内側の障子１５Ａの垂下片１７５が挿入されることで、この垂下片１７５がこれらの部分と隙間なく摺接される。さらに、突出片部４１の室内側端部は、曲線状に形成されており、室内側の気密材保持部１２１Ｃの下面に沿って密接するようになっている。また、風止板４０の下部は、下枠本体１２４の傾斜面部１２６や外側面部１２７に沿った形状に形成されている。以上のように、風止板４０は、下枠１２の各部に密接することで、召合せ部２３下方における下枠内部空間１２５を左右に仕切ることができるようになっている。
【００３９】
一方、召合せ框１８Ａ，１８Ｂの下端には、端部キャップ１８９が設けられている。この端部キャップ１８９は、召合せ框１８Ａ，１８Ｂに挿入されて取り付けられており、下框１７の垂下片１７５に連続する摺動片１８９Ａを有している。摺動片１８９Ａは、戸先框１８Ｃ，１８Ｄにおける端部キャップ１８８の摺動片１８８Ａと同様に、室内側横気密材３１Ａとレール間上面部材３２との間、または室外側横気密材３１Ｂと網戸レール３４との間の隙間に挿入されており、この摺動片１８９Ａの室内側側面に横気密材３１が当接して横気密ラインが障子１５の召合せ側端部まで連続形成されるようになっている。また、摺動片１８９Ａの端部には、当該摺動片１８９Ａを斜めに切断した面取り部１８９Ｂが形成されており、召合せ框１８Ａ，１８Ｂに端部キャップ１８９を取り付けた状態で障子１５を搬送したり窓枠１４に着脱したりする際に、摺動片１８９Ａの端部がぶつかりにくくなって破損しにくくなっている。この面取り部１８９Ｂの上側の端部、つまり障子１５の外端側の端部は、図１２に示すように、下枠１２の上面から上方に露出しないように設定されている。なお、面取り部１８９Ｂの形態は任意であり、適宜なアールを有する曲線状に形成されていてもよい。また、前述の戸先框１８Ｃ，１８Ｄにおける端部キャップ１８８の摺動片１８８Ａに関しても、同様の面取り部が形成されていてもよい。
【００４０】
図１０に示すように、室外側の召合せ框１８Ｂにおける端部キャップ１８９には、召合せ框１８Ｂの室内側側面または底面から突出する２つの突出片部１８９Ｃ，１８９Ｄが形成されている。突出片部１８９Ｃは、召合せ框１８Ｂの煙返し１８４に沿って形成された切り込みに嵌って、召合せ框１８Ｂの側面よりも室内側に突出するとともに、縦気密材１８５の下端部に連続するようになっている。そして、召合せ框１８Ｂの底面から突出する突出片部１８９Ｄは、障子１５を閉じた状態で、風止板４０の突出片部４１に当接するようになっている。これにより、下枠１２と室内外の召合せ框１８Ａ，１８Ｂとで見込み方向の気密ラインが形成される。そして、この見込み方向の気密ラインは、室内側の召合せ框１８Ａの摺動片１８９Ａを介して室内側の障子１５Ａの横気密ラインに連続し、室外側レール部３０Ｂおよび横気密部材３１Ｂを介して室外側の障子１５Ｂの横気密ラインに連続するとともに、端部キャップ１８９の突出片部１８９Ｃによって縦気密ラインに連続する。
以上のように、縦横の気密ラインが連続することで、召合せ部２３における気密構造が構成されている。
【００４１】
このような本実施形態によれば、以下のような効果がある。
（１）すなわち、下枠１２に取り付けた室内外の各レール部３０Ａ，３０Ｂ、室内外の各横気密材３１Ａ，３１Ｂ、レール間上面部材３２、室内側上面部材３３、および網戸レール３４の上端が略同一高さ位置に設けられているので、下枠１２の上面をフラットに形成することができ下枠１２の上面を足で踏んだ際の違和感や、車いすで通過する際のがたつき等を減少させて、バリアフリー対応可能な引違い窓１０を構成することができる。
【００４２】
（２）また、室内側横気密材３１Ａとレール間上面部材３２との間、および室外側横気密材３１Ｂと網戸レール３４との間に設けられる隙間は、障子１５の下框１７に設けた垂下片１７５が挿入可能な幅寸法を有していればよく、垂下片１７５の厚さ寸法に応じた必要最小限の幅寸法に設定することができ、必要以上の幅寸法の隙間や凹凸を設ける必要がないことから、下枠１２上面のフラット感を損なわないようにすることができる。
【００４３】
（３）さらに、下枠１２における室内側横気密材３１Ａとレール間上面部材３２との間、または室外側横気密材３１Ｂと網戸レール３４との間の隙間に障子１５の垂下片１７５を挿入し、この垂下片に横気密材３１を当接させることで、水平方向の気密ラインが形成され、戸先框１８Ｃ，１８Ｄに設けた縦気密材１８６を縦枠１３の引寄せ片１３４に当接させることで、鉛直方向の気密ラインが形成され、横気密材３１と縦気密材１８６とを連結気密材４５のモヘア４７で連結させることで、縦横の気密ラインが連続形成されて、引違い窓１０の気密性を確保することができる。
【００４４】
（４）そして、レール部３０の室外側に沿って横気密材３１を設け、この横気密材３１に垂下片１７５の室内側側面を当接させ、また戸先框１８Ｃ，１８Ｄの室外側側面の室内側である気密材保持部１８７に縦気密材１８６を設け、この縦気密材１８６を引寄せ片１３４の室外側側面および連結気密材４５のモヘア４７に当接させることで、外タイトの気密ラインが形成され、障子１５に室外側から風雨が吹き付けた場合に、縦横の気密材１８６，３１が各々引寄せ片１３４および垂下片１７５に密接するようにでき、引違い窓１０の気密、水密性能が確保できる。
【００４５】
（５）そして、縦気密材１８６を障子１５の戸先框１８Ｃ，１８Ｄに設けたことで、窓枠１４から障子１５を外せば、縦気密材１８６を戸先框１８Ｃ，１８Ｄの長手方向に沿ってスライドさせて着脱でき、縦気密材１８６が劣化や摩耗した場合であっても、縦気密材１８６を容易に交換することができる。
【００４６】
（６）また、横気密材３１を下枠本体１２４の気密材保持部１２１Ｃ，１２２Ｃから上方に引き抜いて取り外すとともに、上方から気密材保持部に圧入して取り付けることができるので、横気密材３１が劣化や摩耗した場合であっても、横気密材３１を容易に着脱して交換することができる。
【００４７】
（７）また、連結気密材４５がモヘア４７を有し、このモヘア４７が突出方向およびその交差方向のいずれの方向にも変形しやすいため、障子１５閉鎖時にモヘア４７が横気密材３１および縦気密材１８６に確実に密接して、縦横の気密ラインを連続させることができる。
【００４８】
（８）また、レール部３０が下枠１２の長手方向に関して分割されず、途中に継ぎ目のない１本の連続した部材から構成されるので、障子１５を開閉操作する際に、戸車１７４が継ぎ目に引っ掛かってガタついたり音が鳴ったりすることなく、障子１５の戸車１７４を円滑に案内することができる。
【００４９】
（９）さらに、レール間上面部材３２や室内側上面部材３３、網戸レール３４を取り外すことで、レール部３０を取り外すことなくレール部３０間や室内外の凹溝部１２１Ｄ，１２２Ｄの清掃ができるので、清掃時に障子１５が脱落するおそれもなく、清掃作業を安心して実行することができる。
【００５０】
（10）また、横気密材３１に沿った隙間に障子１５の垂下片１７５を挿入することで、窓の外観上、障子１５下端縁と下枠１２上面との隙間が見えず、外観意匠性が向上するとともに、障子１５下端と下枠１２との間に室外側からバール等の工具を差し込んで障子１５を外す行為が防止でき、防犯性を向上させることができる。
【００５１】
（11）また、レール間上面部材３２が下枠１２の長手方向途中位置で四分割されているので、障子１５を窓枠１４のいずれか一方側に寄せるだけで、障子１５を外さなくてもレール間上面部材３２を容易に脱着することができる。
【００５２】
（12）さらに、レール部３０が下枠本体１２４に対して着脱自在になっているので、レール部３０が傷ついた場合であっても、レール部３０を交換することができる。また、障子１５の戸車１７４の形態に応じて、レール部３０の戸車案内部３０１を凸状から凹状などに変更した場合にも、下枠本体１２４の形状を変更する必要がなく、レール部３０のみを交換するだけで対応することができる。
【００５３】
（13）また、室内部材１２１と室外部材１２２とが断熱部材１２３で連結された下枠本体１２４において、障子１５を閉じた際に室内側空間に位置する室内側のレール部３０Ａ、室内側上面部材３３、および横気密材３１Ａを室内部材１２１に設け、障子１５を閉じた際に室内側空間に位置するレール間上面部材３２Ａ，３２Ｂを樹脂製とすることで、断熱サッシである引違い窓１０の断熱効果を確実にすることができる。
【００５４】
〔第２実施形態〕
次に、本発明の第２実施形態に係るサッシ窓である片引き窓５０について、図１３に基づいて説明する。図１３は、片引き窓５０の下枠５２を示す縦断面図である。
片引き窓５０は、前記第１実施形態と同様の窓枠内側に１つの障子１５が開閉自在に支持された外動タイプの片引き窓である。つまり、図示しない固定面材である固定障子が窓枠室内側に固定され、この固定障子の室外側に障子１５が支持されている。
下枠５２は、前記第１実施形態と同様に、室内部材５２１、室外部材５２２、および断熱部材５２３を有する下枠本体５２４を有している。そして、下枠本体５２４の室内部材５２１には、室内側側壁部５２１Ａと室内側凹溝部５２１Ｄとが形成され、室外部材５２２には、室外側側壁部５２２Ａと室外側凹溝部５２２Ｄとが形成されている。また、室内側側壁部５２１Ａの上端には、アングル材６５が係合され、このアングル材６５により下枠本体５２４が室内床に固定されている。すなわち、本実施形態の下枠本体５２４は、前記第１実施形態の引違い窓１０における下枠本体１２４と共通化されている。
【００５５】
下枠本体５２４の上部には、障子１５の戸車１７４を案内するレール部６０と、障子１５の垂下片１７５に当接する横気密材６１と、レール部６０の室内側に沿って着脱自在に設けられたレール側方上面部材６２と、室内側凹溝部５２１Ｄに着脱自在に設けられた室内側上面部材６３と、室外側凹溝部５２２Ｄに着脱自在に設けられた室外側上面部材としての網戸レール６４とが取り付けられている。これらの各部材は、室内側から室外側に向かって、室内側上面部材６３、レール側方上面部材６２、レール部６０、横気密材６１、および網戸レール６４の順に取り付けられており、これらの上面が略同一高さ位置（略フラット）に設けられている。そして、横気密材６１と網戸レール６４との間には、障子１５の垂下片１７５が挿入可能な隙間が形成されている。
【００５６】
レール側方上面部材６２は、角形中空形状の樹脂押出形材製であって、アルミ製の支持部材６６にビス止め固定されている。また、レール側方上面部材６２の両端には、前記第１実施形態と同様の取手部が取り付けられている。そして、レール側方上面部材６２は、障子１５を閉じた際に障子１５の下方に位置する部分において、少なくとも二分割されており、障子１５を開けた状態で取り外すことができるようになっている。
また、室内側上面部材６３は、断面略Ｔ字形のアルミ押出形材製であって、前記第１実施形態において室内側レール部３０Ａが支持されていたレール支持部１２１Ｂに係合され、室内側凹溝部５２１Ｄ上方を覆って取り付けられている。なお、室内側上面部材６３は、樹脂押出形材製でもよい。また、レール側方上面部材６２と室内側上面部材６３とを一体の部材から形成してもよい。
また、網戸レール６４は、前記第１実施形態の網戸レール３４と同様の構成を備えている。
【００５７】
以上のような片引き窓５０において、前記第１実施形態と同様に、障子１５の戸先框には、縦枠の引寄せ片に当接可能な縦気密材が設けられ、下枠５２と縦枠との交差部分には、横気密材６１および縦気密材に当接可能な連結気密材が設けられている。
【００５８】
このような本実施形態によれば、前述の効果と略同様の効果を備えた外動障子タイプの片引き窓５０を形成することができる。
（14）また、前記第１実施形態の引違い窓１０と下枠本体１２４，５２４が共通化されているので、その上部に取り付けるレール部３０，６０や横気密材３１，６１、各上面部材３２，３３，３４，６２，６３，６４等の構成を変更するだけで、下枠本体１２４，５２４の構造を変更する必要がなく、部品点数を削減することができる。
【００５９】
〔第３実施形態〕
次に、本発明の第３実施形態に係るサッシ窓である片引き窓７０について、図１４に基づいて説明する。図１４は、片引き窓７０の下枠７２を示す縦断面図である。
片引き窓７０は、前記第２実施形態の片引き窓５０が外動障子を有するのに対し、窓枠の室外側に固定された固定障子の室内側に障子１５が支持された内動障子タイプの片引き窓である点が相違している。その他の構成は、前記第２実施形態と略同様である。
下枠７２は、前記第１、２実施形態と同様に、室内部材７２１、室外部材７２２、および断熱部材７２３を有する下枠本体７２４を有している。そして、下枠本体７２４の室内部材７２１には、室内側側壁部７２１Ａと室内側凹溝部７２１Ｄとが形成され、室外部材７２２には、室外側側壁部７２２Ａと室外側凹溝部７２２Ｄとが形成されている。また、室内側側壁部７２１Ａの上端には、アングル材８５が係合され、このアングル材８５により下枠本体７２４が室内床に固定されている。すなわち、本実施形態の下枠本体７２４は、前記第１、２実施形態の引違い窓１０および片引き窓５０における下枠本体１２４，５２４と共通化されている。
【００６０】
下枠本体７２４の上部には、障子１５の戸車１７４を案内するレール部８０と、障子１５の垂下片１７５に当接する横気密材８１と、レール部８０の室外側に沿って着脱自在に設けられたレール側方上面部材８２と、室内側凹溝部７２１Ｄに着脱自在に設けられた室内側上面部材８３と、室外側凹溝部７２２Ｄに着脱自在に設けられた室外側上面部材としての網戸レール８４とが取り付けられている。これらの各部材は、室内側から室外側に向かって、室内側上面部材８３、レール部８０、横気密材８１、レール側方上面部材８２、および網戸レール８４の順に取り付けられており、これらの上面が略同一高さ位置（略フラット）に設けられている。そして、横気密材８１とレール側方上面部材８２との間には、障子１５の垂下片１７５が挿入可能な隙間が形成されている。
【００６１】
レール側方上面部材８２は、アルミ押出形材製であって、前記第１実施形態におけるレール支持部１２２Ｂおよび気密材保持部１２２Ｃの上方まで室外側に延長して形成され、下枠本体７２４の室外部材７２２に係合されている。
また、室内側上面部材８３および網戸レール８４は、前記第１実施形態の室内側上面部材３３および網戸レール３４と同様の構成を備えている。
なお、レール側方上面部材８２と網戸レール８４とを一体の部材から形成してもよい。
【００６２】
以上のような片引き窓７０において、前記第１実施形態と同様に、障子１５の戸先框には、縦枠の引寄せ片に当接可能な縦気密材が設けられ、下枠７２と縦枠との交差部分には、横気密材８１および縦気密材に当接可能な連結気密材が設けられている。
【００６３】
このような本実施形態によれば、前述の効果と略同様の効果を備えた内動障子タイプの片引き窓７０を構成することができる。
（15）さらに、前記第１実施形態の引違い窓１０や前記第２実施形態の外動障子タイプの片引き窓５０と下枠本体１２４，５２４，７２４が共通化されているので、引違い形式や、外動または内動片引き形式等のサッシ窓の形式に関わらず、共通の下枠本体１２４，５２４，７２４が利用でき、より一層の部品点数削減が実現できる。
【００６４】
〔第４実施形態〕
次に、本発明の第４実施形態に係るサッシ窓である引違い窓１０’について、図１５〜図２６に基づいて説明する。
図１５は、本発明の第４実施形態に係るサッシ窓である引違い窓１０’を室内側から見た正面図である。図１６、図１７は、引違い窓１０’を示す縦断面図、および横断面図である。
引違い窓１０’は、前記第１実施形態の引違い窓１０と比較して下枠の構造が相違している。その他の構成は、第１実施形態と略同様である。
【００６５】
引違い窓１０’は、上枠１１’、下枠１２’、および左右の縦枠１３’を四周枠組みした窓枠１４’と、この窓枠１４’の内側に開閉自在に支持された室内外一組の障子１５’とを備えて構成されている。障子１５’は、上框１６’、下框１７’、および左右の縦框１８’を四周框組みした内部に、ガラスパネル（複層ガラス）１９’を嵌め込んで構成されている。また、一組の障子１５’の室外側には、網戸２０’が窓枠１４内に開閉自在に支持されている。一組の障子１５’は、室内側の障子１５Ａ’と、室外側の障子１５Ｂ’とが、窓枠１４’の見付け方向（図３中、左右方向）略中央位置の召合せ部分２３’で重なって閉じるようになっている。そして、室内外の障子１５Ａ’，１５Ｂ’は、召合せ部分２３’の縦框（召合せ框）１８Ａ’，１８Ｂ’に設けられた引戸錠であるクレセント２４’により施錠できるようになっている。さらに、室内外の障子１５Ａ’，１５Ｂ’における戸先側の縦框（戸先框）１８Ｃ’，１８Ｄ’には、各障子１５Ａ’，１５Ｂ’を開閉操作するためのハンドル２５’が取り付けられている。また、室外側の障子１５Ｂ’における上框１６’および下框１７’の縦框（戸先框）１８Ｄ’近傍室内側には、障子ストッパ２６’が取り付けられており、各障子１５Ａ’，１５Ｂ’を開放した際に縦框（召合せ框）１８Ａ’とハンドル２５’との衝突が防止できるようになっている。
【００６６】
次に、引違い窓１０’における下枠１２’の構造について、図１８〜図２０に基づいて詳しく説明する。図１８は、下枠１２’を示す縦断面図である。図１９、２０は、それぞれ下枠１２’を示す平面図、および分解斜視図である。
図１８〜図２０において、下枠１２’は、室内側に配置される室内部材１２１’と、室外側に配置される室外部材１２２’と、これらアルミ押出形材製の室内部材１２１’および室外部材１２２’を連結する断熱部材１２３’とからなる下枠本体１２４’を備えている。そして、下枠本体１２４’には、障子１５’の戸車１７４’を案内する室内側および室外側のレール部３０’（３０Ａ’，３０Ｂ’）と、これら室内外の各レール部３０Ａ’，３０Ｂ’の室外側側面に取り付けられて障子１５’に当接する室内側および室外側の気密材３１’（３１Ａ’，３１Ｂ’）と、室内外の各レール部３０Ａ’，３０Ｂ’間に着脱自在に設けられたレール間上面部材３２’と、室内側レール部３０Ａ’よりも室内側に着脱自在に設けられた室内側上面部材３３’と、室外側レール部３０Ｂ’よりも室外側に着脱自在に設けられた室外側上面部材としての網戸レール３４’とが設けられている。
【００６７】
下枠本体１２４’の室内部材１２１’は、室内側にて上下に延びる室内側側壁部１２１Ａ’と、この室内側側壁部１２１Ａ’の上端縁から室内側に延びる上面部１２１Ｂ’と、室内側側壁部１２１Ａ’の上下方向略中間位置から室外側に延びる水平面部１２１Ｃ’と、この水平面部１２１Ｃ’の室外側縁から上方に延びて室内側側壁部１２１Ａ’に対向する室内側レール支持部１２１Ｄ’とを有して形成されている。そして、室内側側壁部１２１Ａ’の下端縁と、室内側側壁部１２１Ａ’の下端部から室内側に延びた突片と、水平面部１２１Ｃ’の室外側縁から下方に延びた垂下片とが建物開口部に載置され、上面部１２１Ｂ’が室内床面に係合されて室内部材１２１’は支持されている。そして、室内側側壁部１２１Ａ’、水平面部１２１Ｃ’および室内側レール支持部１２１Ｄ’によって上方に開口した室内側凹溝部１２１Ｅ’が形成されている。室内側レール支持部１２１Ｄ’は、水平面部１２１Ｃ’から上方に立ち上がって断面略Ｔ字形（または略逆Ｌ字形）に形成された基端部１２１Ｆ’と、この基端部１２１Ｆ’上面からさらに上方に立ち上がったレール係合部１２１Ｇ’とを有して形成されている。そして、室内側レール支持部１２１Ｄ’のレール係合部１２１Ｇ’に室内側レール部３０Ａ’が係合されるようになっている。
【００６８】
下枠本体１２４’の室外部材１２２’は、上下に延びて建物躯体等に固定される固定面部１２２Ａ’と、この固定面部１２２Ａ’から室外側に延びて下がり傾斜を有した傾斜面部１２２Ｂ’と、この傾斜面部１２２Ｂ’の下側に対向して設けられた底面部１２２Ｃ’と、傾斜面部１２２Ｂ’および底面部１２２Ｃ’の室外側端に連続して上下に延びる支持側壁部１２２Ｄ’とを有して形成されている。さらに、室外部材１２２’は、支持側壁部１２２Ｄ’の二股に分かれた上端を連結して室内外に延びる支持上面部１２２Ｅ’と、この支持上面部１２２Ｅ’の室外側端に連続して上下に延びる室外側側壁部１２２Ｆ’と、支持上面部１２２Ｅ’の室内寄りの上面から上方に立ち上がり室外側レール部３０Ｂ’を係合するレール係合部１２２Ｇ’とを有している。そして、室外側側壁部１２２Ｆ’、支持上面部１２２Ｅ’およびレール係合部１２２Ｇ’によって上方に開口した室外側凹溝部１２２Ｈ’が形成されている。また、室外部材１２２’における支持側壁部１２２Ｄ’と底面部１２２Ｃ’および支持上面部１２２Ｅ’との各交差部分にはビスホールが形成され、このビスホールにビス止め固定して縦枠１３’が下枠本体１２４’に一体化される。これにより、支持上面部１２２Ｅ’に作用する荷重が支持側壁部１２２Ｄ’やビスを介して窓枠１４’全体で支持されるようになっている。
【００６９】
また、下枠本体１２４’において、室内部材１２１’の室内側レール支持部１２１Ｄ’と室外部材１２２’のレール係合部１２２Ｇ’および支持側壁部１２２Ｄ’との間で、室外部材１２２’の傾斜面部１２２Ｂ’の上側には、上方に開口した下枠内部空間１２５’が形成されている。この下枠内部空間１２５’は、支持側壁部１２２Ｄ’に設けられ傾斜面部１２２Ｂ’に連続した排水孔（不図示）により室外空間に連通されており、下枠内部空間１２５’に浸入した水などは、傾斜面部１２２Ｂ’を流れて排水孔から排出されるようになっている。また、支持側壁部１２２Ｄ’に設けた排水孔の室外側には、排水弁３９’が取り付けられており、この排水弁３９’は、排水孔を通って排出された水の逆流を防止するとともに、室外側から雨水が排水孔を通って下枠内部空間１２５’側に吹き込むことを防止するようになっている。
【００７０】
また、室内側レール部３０Ａ’と室内側上面部材３３’との間、および室内側の気密材３１Ａ’とレール間上面部材３２’との間には、それぞれ隙間が形成されており、これらの隙間には、室内側障子１５Ａ’における下框１７’に形成された室内外の垂下片１７５’がそれぞれ挿入されている。これと同様に、室外側レール部３０Ｂ’とレール間上面部材３２’との間、および室外側の気密材３１Ｂ’と網戸レール３４’との間には、それぞれ隙間が形成されており、これらの隙間には、室外側障子１５Ｂ’における下框１７’に形成された室内外の垂下片１７５’がそれぞれ挿入されている。これらの隙間寸法は、垂下片１７５’を挿入するための最小限の寸法に設定されている。そして、室内外の障子１５Ａ’，１５Ｂ’の各々における室外側垂下片１７５’の室内側側面には、室内外の気密材３１Ａ’，３１Ｂ’がそれぞれ当接するようになっている。
【００７１】
次に、レール間上面部材３２’は、下枠本体１２４’における室外部材１２２’の固定面部１２２Ａ’上端部分、および支持上面部１２２Ｅ’の室内側端に形成された鉤状の支持片部１２２Ｉ’に係合されている。このようにして下枠本体１２４’に取り付けられたレール間上面部材３２’によって下枠内部空間１２５’の上側が塞がれて下枠１２’の上面が略平坦に形成されるようになっている。また、レール間上面部材３２’を下枠本体１２４’から取り外すことによって、下枠内部空間１２５’が上方に開口するため、掃除機等を用いて下枠内部空間１２５’の清掃を容易に行うことができるようになる。さらに、レール間上面部材３２’は、図１９、２０に示すように、下枠１２’の長手方向途中位置で三分割され、第１〜第３のレール間上面部材３２Ａ’，３２Ｂ’，３２Ｃ’の３つの部材から構成されている。そして、障子１５’を閉じた際にその上面が室内側空間に表出する（位置する）第１および第２のレール間上面部材３２Ａ’，３２Ｂ’の一方側（図１９中、左側）端部、および障子１５’を閉じた際にその上面が室外側空間に表出する（位置する）第３のレール間上面部材３２Ｃ’の他方側（図１９中、右側）端部には、それぞれ着脱用の取手部３５’が取り付けられている。
【００７２】
また、下枠１２’の長手方向両端部の下枠本体１２４’にはコーナー部材３７’および後述する連結気密材４５Ａ’の取付支持部４６Ａ’が設けられ、下枠１２’の長手方向略中央部（召合せ部２３’の下方）の下枠本体１２４’には風止板４０’が設けられている。図１９中、左側のコーナー部材３７’は、縦枠１３’に係合された気密材保持部材１３５’の下方に設けられている。一方、図１９中、右側の連結気密材４５Ａ’の取付支持部４６Ａ’は、縦枠１３’に形成された気密材保持片１３６’の下方に設けられている。この気密材保持片１３６’は、室内側障子１５Ａ’の戸先側縦框１８Ｃ’に当接する縦気密材１３６Ａ’を保持するためのものである。そして、これらのコーナー部材３７’および取付支持部４６Ａ’に縦気密材１３５Ａ’，１３６Ａ’の下端が接続されている。また、コーナー部材３７’に第１のレール間上面部材３２Ａ’の取手部３５’が当接し、取付支持部４６Ａ’に第３のレール間上面部材３２Ｃ’の取手部３５’が当接するようになっている。
【００７３】
風止板４０’は、下枠内部空間１２５’を左右に仕切る、すなわち障子１５’を閉じた状態で室内空間に連通する図１９の左側と室外空間に連通する図１９の右側とに下枠内部空間１２５’を仕切る部材である。この風止板４０’は、閉じた障子１５’の召合せ側縦框１８Ａ’，１８Ｂ’の下端部に当接するようになっており、これにより召合せ部２３’における気密性が確保されている。また、風止板４０’は、レール間上面部材３２’（３２Ｂ’，３２Ｃ’）の端部に当接してレール間上面部材３２’を位置決めする位置決め機能を有している。そして、レール間上面部材３２Ｂ’の他方側（図１９中、右側）端部、およびレール間上面部材３２Ｃ’の一方側（図１９中、左側）端部が、それぞれ風止板４０’に当接されている。
また、縦枠１３’には、障子１５’の戸先側縦框１８Ｃ’，１８Ｄ’を引き寄せるための引寄せ片１３４’が見付け方向内方に突出して設けられている。この引寄せ片１３４’は、図１７にも示すように、戸先框１８Ｃ’，１８Ｄ’内部の傾斜部に当接するようになっている。そして、引寄せ片１３４’の下端位置である下枠１２’の両端部には、連結気密部材４５’（４５Ａ’，４５Ｂ’）が設けられている。
【００７４】
次に、連結気密部材４５’について、図２１〜図２６に基づいて詳しく説明する。
図２１は、図１７の右側（室内側障子１５Ａ’の戸先側縦框１８Ｃ’が当接する側）の縦枠１３’および下枠１２’の交差部分を室内側から見た斜視図である。図２２は、図２１の交差部分に設けられる連結気密部材４５’（４５Ａ’）を示す斜視図である。図２３は、下枠１２’および連結気密部材４５’（４５Ａ’）を示す側面図である。図２４は、図１７の左側（室外側障子１５Ｂ’の戸先側縦框１８Ｄ’が当接する側）の縦枠１３’および下枠１２’の交差部分を室外側から見た斜視図である。図２５は、図２４の交差部分に設けられる連結気密部材４５’（４５Ｂ’）を示す斜視図である。図２６は、下枠１２’および連結気密部材４５’（４５Ｂ’）を示す側面図である。
【００７５】
図２１〜２３に示すように、室内側の障子１５Ａ’の戸先框１８Ｃ’が当接する縦枠１３’下方において、下枠１２’には、連結気密材４５Ａ’が取り付けられている。この連結気密材４５Ａ’は、室内側レール部３０Ａ’に係合して取り付けられる取付支持部４６Ａ’と、この取付支持部４６Ａ’に固定されて縦枠１３’の見付け方向内側に向かって突出する弾性部としてのモヘア４７’とを有している。取付支持部４６Ａ’は、樹脂製の部材であって、この取付支持部４６Ａ’には、室内側レール部３０Ａ’の気密材保持部３０５’（後述）に係合される突起部４６１Ａ’と、モヘア４７’を保持する断面略Ｃ字形のモヘア保持部４６２Ａ’とが形成されている。そして、突起部４６１Ａ’を気密材保持部３０５’に挿入してかしめることで室内側レール部３０Ａ’に係合させるとともに、下枠本体１２４’の支持片部１２２Ｉ’に載置されることで、連結気密材４５Ａ’の取付支持部４６Ａ’が支持されるようになっている。また、モヘア４７’は、樹脂製の微細な繊維から形成されたもので、適度な弾性を有しており、その下端が下枠１２’の横気密材３１Ａ’上面に当接して設けられている。
【００７６】
ここで、室内側および室外側のレール部３０Ａ’，３０Ｂ’は、それぞれアルミ押出形材製で同一断面に形成され、図２２、２３に示すように、上面部３０１’と、この上面部３０１’から上方に突出した戸車案内部３０２’と、上面部３０１’から下方に突出した室内側の第１突出片部３０３’および室外側の第２突出片部３０４’とを有している。そして、室内外の各レール部３０Ａ’，３０Ｂ’は、第１および第２の突出片部３０３’，３０４’で下枠本体１２４’のレール係合部１２１Ｇ’，１２２Ｇ’（図１８）を挟持することで下枠本体１２４’に着脱自在に取り付けられている。また、各レール部３０Ａ’，３０Ｂ’の第２突出片部３０４’の室外側側面には、断面略Ｃ字形の気密材保持部３０５’が形成されており、この気密材保持部３０５’に気密材３１’が保持されている。さらに、各レール部３０Ａ’，３０Ｂ’の戸車案内部３０２’の上端は、下枠本体１２４’の上面部１２１Ｂ’、レール間上面部材３２’の上面、および網戸レール３４’の上面と略同一高さ位置に設けられている。
【００７７】
次に、図２４〜２６に示すように、室外側の障子１５Ｂ’の戸先框１８Ｄ’が当接する縦枠１３’下方において、下枠１２’には、連結気密材４５Ｂ’が取り付けられている。この連結気密材４５Ｂ’は、室外側レール部３０Ｂ’に係合して取り付けられる取付支持部４６Ｂ’と、この取付支持部４６Ｂ’に固定されて縦枠１３’の見付け方向内側に向かって突出する弾性部としてのモヘア４７’とを有している。取付支持部４６Ｂ’は、樹脂製の部材であって、この取付支持部４６Ｂ’には、室外側レール部３０Ｂ’の気密材保持部３０５’に係合される突起部４６１Ｂ’ と、モヘア４７’を保持する断面略Ｃ字形のモヘア保持部４６２Ｂ’とが形成されている。そして、突起部４６１Ｂ’を気密材保持部３０５’に挿入してかしめることで室外側レール部３０Ｂ’に係合させることで、連結気密材４５Ｂ’の取付支持部４６Ｂ’が支持されるようになっている。また、モヘア４７’の下端は、下枠１２’の横気密材３１Ｂ’上面に当接して設けられている。
【００７８】
以上のように下枠１２’の両端部における縦枠１３’との交差部分に設けられた連結気密材４５Ａ’，４５Ｂ’のモヘア４７’は、第１実施形態と同様に室内外の障子１５Ａ’，１５Ｂ’の戸先框１８Ｃ’，１８Ｄ’に設けられた縦気密材と当接するようになっている。これにより、下枠１２’の横気密材３１’と戸先框１８Ｃ’，１８Ｄ’の縦気密材とが連結気密材４５’のモヘア４７’により連結され、横気密ラインと縦気密ラインとが連続することになる。
以上のような本実施形態によれば、前述の効果と略同様の効果を得ることができる。
【００７９】
なお、本発明は、前記各実施形態に限定されるものではなく、本発明の目的を達成できる他の構成等を含み、以下に示すような変形等も本発明に含まれる。
例えば、前記第１実施形態の引違い窓１０における下枠１２では、室内側レール部３０Ａよりも室内側に室内側上面部材３３を取り付け、室外側レール部３０Ｂよりも室外側に室外側上面部材としての網戸レール３４を取り付けたが、これら室内外の上面部材を省略してもよい。この際、室内側においては、例えば、アングル材３５の一部を室外側に延長したり、室内側レール部３０Ａの一部を室内側に延長したりすることで、室内側凹溝部１２１Ｄの上方を覆うようにしてもよい。また、室外側においては、下枠本体１２４の室外側側壁部１２２Ａによって網戸２０を開閉可能に支持してもよいし、室外側側壁部１２２Ａの一部を室内側に延長して網戸レールを形成してもよい。これと同様に、前記第２、３実施形態の室内側および室外側の上面部材６３，６４，８３，８４を省略し、下枠本体５２４，７２４の一部に各上面部材が一体化されたように形成してもよい。
また、前記各実施形態では、レール部３０，６０，８０，３０’、および各上面部材３２，３３，３４，６２，６３，６４，８２，８３，８４，３２’，３３’，３４’を下枠本体１２４，５２４，７２４，１２４’に対して着脱可能に取り付けたが、これに限らず、レール部や上面部を下枠本体に一体に形成してもよい。
また、レール部を下枠長手方向の途中位置で複数に分割してもよい。
【００８０】
また、前記実施形態では、窓枠１４，１４’の各枠材１１，１２，１３，５２，７２，１１’，１２’，１３’や障子１５，１５’の各框材１６，１７，１８，１６’，１７’，１８’を室内部材、室外部材、および断熱部材から構成したが、これに限らず、各枠材や框材を一体のアルミ形材製としてもよく、また断熱部材を用いずに、樹脂押出形材製の室内部材とアルミ押出形材製の室外部材とを連結した複合サッシとしてもよい。
また、前記実施形態では、レール部３０，６０，８０，３０’の室外側に隣接して横気密材３１，６１，８１，３１’を取り付け、横気密材３１，６１，８１，３１’の室外側に障子１５，１５’の垂下片１７５，１７５’および端部キャップ１８８，１８９の摺動片１８８Ａ，１８９Ａを挿入する隙間を設けたが、このような構成に限定されない。すなわち、レール部３０，６０，８０，３０’の室内側に隣接して横気密材３１，６１，８１，３１’を取り付け、横気密材３１，６１，８１，３１’の室内側に沿って隙間を形成してもよい。この際、障子の垂下片や摺動片を障子の室内側側面下端に形成しておき、この垂下片や摺動片を横気密材３１，６１，８１，３１’に沿った隙間に挿入し、垂下片や摺動片部の室外側側面に横気密材３１，６１，８１，３１’が当接するようにすれば、気密ラインを形成することができる。
【００８１】
また、前記実施形態では、横気密材３１，６１，８１を下枠１２の上面に沿って、レール部３０，６０，８０と略同一高さ位置に設けたが、これに限らず、レール部と上面部材との間に設けた隙間の内部に、下枠上面側に露出しないように設けてもよい。
また、前記実施形態では、連結気密材４５，４５’がモヘア４７，４７’を備えて構成されたが、モヘア４７，４７’以外の弾性材料を用いて連結気密材を構成してもよい。弾性材料としては、例えばゴムやスポンジ等が採用可能である。
また、前記実施形態では、縦枠１３，１３’に第２縦気密材としての縦気密材１３６，１３７，１３５Ａ’，１３６Ａ’が設けられていたが、これらの第２縦気密材を省略することができる。すなわち、これらの第２縦気密材は、補助的に設けられたものであり、戸先框１８Ｃ，１８Ｄ，１８Ｃ’，１８Ｄ’の縦気密材１８６と縦枠１３，１３’の引寄せ片１３４，１３４’との当接によって、縦気密ラインを形成することができる。
【００８２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００８３】
【図１】本発明の第１実施形態に係るサッシ窓が設けられた建物の一部を示す断面図である。
【図２】前記サッシ窓を示す縦断面図である。
【図３】前記サッシ窓を示す横断面図である。
【図４】前記サッシ窓における下枠を示す縦断面図である。
【図５】前記下枠を示す分解斜視図である。
【図６】前記下枠を示す平面図である。
【図７】前記下枠および縦枠の交差部分を室外側から見た斜視図である。
【図８】前記下枠および縦枠の交差部分を示す断面図である。
【図９】前記サッシ窓における室外側の障子の戸先框を室内側から見た斜視図である。
【図１０】前記室外側の障子の召合せ框を室内側下方から見た斜視図である。
【図１１】前記室外側の障子の召合せ框および下枠を示す断面図である。
【図１２】前記室外側の障子の召合せ框および下枠を室内側から見た側面図である。
【図１３】本発明の第２実施形態に係るサッシ窓における下枠を示す縦断面図である。
【図１４】本発明の第３実施形態に係るサッシ窓における下枠を示す縦断面図である。
【図１５】本発明の第４実施形態に係るサッシ窓を室内側から見た正面図である。
【図１６】前記サッシ窓を示す縦断面図である。
【図１７】前記サッシ窓を示す横断面図である。
【図１８】前記サッシ窓における下枠を示す縦断面図である。
【図１９】前記下枠を示す平面図である。
【図２０】前記下枠を示す分解斜視図である。
【図２１】図１７右側の縦枠および下枠の交差部分を室内側から見た斜視図である。
【図２２】図２１の交差部分に設けられる連結気密部材を示す斜視図である。
【図２３】前記下枠および連結気密部材を示す側面図である。
【図２４】図１７左側の縦枠および下枠の交差部分を室内側から見た斜視図である。
【図２５】図２４の交差部分に設けられる連結気密部材を示す斜視図である。
【図２６】前記下枠および連結気密部材を示す側面図である。
【符号の説明】
【００８４】
１０，１０’…サッシ窓である引違い窓、１１，１１’…上枠、１２，１２’…下枠、１３，１３’…縦枠、１４，１４’…窓枠、１５，１５’…障子、１６，１６’…上框、１７，１７’…下框、１８，１８’…縦框、３０，３０’…レール部、３１，３１’…横気密材、３２，３２’…上面部であるレール間上面部材、３３，３３’…上面部である室内側上面部材、３４，３４’…上面部である室外側上面部材、４５，４５’…連結気密材、４７，４７’…モヘア、５０，７０…サッシ窓である片引き窓、５２，７２…下枠、６０，８０…レール部、６１，８１…横気密材、６２，８２…上面部であるレール側方上面部材、６３，８３…上面部である室内側上面部材、６４，８４…上面部である室外側上面部材、１２１Ｃ，１２２Ｃ…気密材保持部、１３４，１３４’…引寄せ片、１７４，１７４’…戸車、１７５，１７５’…垂下片、１８６…縦気密材。
【図１】
2005299372.tif 000003
【図２】
2005299372.tif 000004
【図３】
2005299372.tif 000005
【図４】
2005299372.tif 000006
【図５】
2005299372.tif 000007
【図６】
2005299372.tif 000008
【図７】
2005299372.tif 000009
【図８】
2005299372.tif 000010
【図９】
2005299372.tif 000011
【図１０】
2005299372.tif 000012
【図１１】
2005299372.tif 000013
【図１２】
2005299372.tif 000014
【図１３】
2005299372.tif 000015
【図１４】
2005299372.tif 000016
【図１５】
2005299372.tif 000017
【図１６】
2005299372.tif 000018
【図１７】
2005299372.tif 000019
【図１８】
2005299372.tif 000020
【図１９】
2005299372.tif 000021
【図２０】
2005299372.tif 000022
【図２１】
2005299372.tif 000023
【図２２】
2005299372.tif 000024
【図２３】
2005299372.tif 000025
【図２４】
2005299372.tif 000026
【図２５】
2005299372.tif 000027
【図２６】
2005299372.tif 000028